【事件の表示】
　特願２００７−２６７２９０「プラスチック眼鏡レンズ」拒絶査定不服審判事件〔平成２０年　６月１２日出願公開、特開２００８−１３４６１８〕について、次のとおり審決する。
【結　論】
　本件審判の請求は、成り立たない。
【理　由】
１　手続の経緯
　本願は、平成１９年１０月１３日（優先権主張平成１８年１０月２６日）の出願であって、平成２４年１月１３日付けで手続補正がなされ、同年７月３日付けで拒絶査定がなされ、これに対して、同年１０月３日付けで拒絶査定不服審判が請求されると同時に手続補正がなされたものである。
　なお、審判請求人は、当審における平成２４年１２月１４日付け審尋に対して、平成２５年１月２１日に審判合議体と面接を行った上で同年２月１３日付けで回答書を提出している。
　
２　本願発明
　本願の請求項１ないし１２に係る発明は、平成２４年１０月３日付けで補正された特許請求の範囲の請求項１ないし１２に記載された事項によって特定されるものであるところ、その請求項１に係る発明は、平成２４年１０月３日付けで補正された明細書、特許請求の範囲及び図面の記載からみて、その特許請求の範囲の請求項１に記載されたとおりの次のものと認める。
　
「熱硬化性樹脂又は熱可塑性樹脂から形成したプラスチックレンズウエハーからなるプラスチック眼鏡レンズ又は前記プラスチックウェハーとこのプラスチックウェハーの少なくとも片面に形成された一層又は複数層の成分層とからなるプラスチック眼鏡レンズであって、
　前記プラスチックウェハー及び前記成分層のうちの少なくとも一つがテトラアザポルフィルン化合物の有機系色素を、０．０００４重量％〜０．０１重量％含み、
　前記有機系色素のクロロホルム又はトルエン溶液で測定された可視光吸収分光スペクトルにおいて、５６５ｎｍ〜６０５ｎｍの間に主吸収ピーク（Ｐ）を有し、前記主吸収ピーク（Ｐ）のピーク頂点（Ｐｍａｘ）の吸光係数が０．５×１０５（ｍｌ／ｇ・ｃｍ）以上であり、前記主吸収ピーク（Ｐ）のピーク頂点（Ｐｍａｘ）の吸光度の１／４の吸光度におけるピーク幅が５０ｎｍ以下であり、かつ前記主吸収ピーク（Ｐ）のピーク頂点（Ｐｍａｘ）の吸光度の１／２の吸光度におけるピーク幅が３０ｎｍ以下であり、かつ前記主吸収ピーク（Ｐ）のピーク頂点（Ｐｍａｘ）の吸光度の２／３の吸光度におけるピーク幅が２０ｎｍ以下の範囲としたこと、
　を特徴とするプラスチック眼鏡レンズ。」（以下「本願発明」という。）
　
３　刊行物の記載事項
（１）原査定の拒絶の理由に引用された「本願の優先日前に頒布された刊行物である特開２００５−２３９９９９号公報（以下「引用例１」という。）」には次の事項が記載されている。
　ア　「【請求項１】
可視光線、近赤外線及びネオン光線のうちの少なくとも１種を吸収する層の形成に用いられる樹脂組成物であって、
該樹脂組成物は、３８０〜１２００ｎｍに極大吸収波長を有する色素と、ラクトン環、Ｎ置換マレイミド環又はテトラヒドロピラン環含有重合体とを含有してなることを特徴とする樹脂組成物
　
　イ　「【技術分野】
【０００１】
本発明は、可視光線、近赤外線及びネオン光線のうちの少なくとも１種を吸収する層の形成に用いられる樹脂組成物に関する。より詳しくは、プラズマディスプレイパネル（ＰＤＰ）等の種々の分野において、可視光線、近赤外線やネオン光等の特定波長を有する光の透過を低減する層の形成に用いられる樹脂組成物に関する。」
　
　ウ　「【発明が解決しようとする課題】
【００１１】
本発明は、上記現状に鑑みてなされたものであり、色素の耐久性と塗膜の屈曲性とを両立することができ、樹脂液中での色素の安定性が向上され、可視光線、近赤外線及びネオン光線のうち少なくとも１種を吸収する層を形成することができる樹脂組成物を提供することを目的とするものである。」
　
　エ　「【課題を解決するための手段】
【００１２】
本発明者等は、近赤外線等の透過を低減する層を形成することができる樹脂組成物について種々検討したところ、色素とバインダー樹脂とを含有するものとすると、このような組み合わせにより、例えばプラズマディスプレイパネルに用いられる前面フィルターや光学フィルム等の形成に有用であることに着目し、色素として、３８０〜１２００ｎｍに極大吸収波長を有するものとすることにより、近赤外線等の特定波長を有する光を充分に吸収することができることを見いだし、また、バインダー樹脂として、ラクトン環、Ｎ置換マレイミド環又はテトラヒドロピラン環を有するものとすることにより、色素における耐熱性や耐湿熱性等の耐久性を向上させるとともに、塗膜の屈曲性を充分に発揮することができるものとなることを見いだし、このような色素とラクトン環、Ｎ置換マレイミド環又はテトラヒドロピラン環を含有する重合体とを組み合わせることにより、近赤外線等の特定波長を有する光の透過を充分に低減できる層を形成する樹脂組成物として好適なものとすることができることを見いだし、上記課題をみごとに解決することができることに想到した。更に、このような組み合わせとすることにより、樹脂液中での色素の保存安定性を向上させることができることも見いだし、本発明に到達したものである。
このように、３８０〜１２００ｎｍの可視域や近赤外線域、ネオン光の波長領域に極大吸収波長を有する色素を配合するバインダーとして、ラクトン環、Ｎ置換マレイミド環又はテトラヒドロピラン環を有する重合体を使用すると、高Ｔｇの塗膜にも拘わらず、塗膜の屈曲性が優れるために、当該バインダーを使用した光学フィルムを折り曲げても塗膜にクラックがほとんど生じないことになる。また、耐熱性試験、耐湿熱性試験においても色素の劣化が非常に少ないものとなる。更に、当該バインダーを配合した塗料中では、色素の劣化が少なく、塗料の可使時間が長いものとすることができる。
【００１３】
すなわち本発明は、可視光線、近赤外線及びネオン光線のうちの少なくとも１種を吸収する層の形成に用いられる樹脂組成物であって、上記樹脂組成物は、３８０〜１２００ｎｍに極大吸収波長を有する色素と、ラクトン環、Ｎ置換マレイミド環又はテトラヒドロピラン環含有重合体とを含有してなる樹脂組成物である。
以下に本発明を詳述する。
【００１４】
本発明の樹脂組成物は、上記波長範囲内に極大吸収波長を有する色素と、ラクトン環、Ｎ置換マレイミド環又はテトラヒドロピラン環含有重合体を必須とするバインダー樹脂とを含有するものであり、可視光線、近赤外線及びネオン光線のうちの少なくとも１種を含む光線の透過を低減する層を形成できるものであればよい。なお、本発明の樹脂組成物に含有される構成要素は、それぞれ１種又は２種以上を用いることができる。
上記バインダー樹脂としては、ラクトン環、Ｎ置換マレイミド環及びテトラヒドロピラン環のうちの少なくとも１種の環を有する重合体を必須とするものであればよく、例えば、
このような３種類の環を有する重合体を含有する場合においては、ラクトン環、Ｎ置換マレイミド環及びテトラヒドロピラン環をともに有する重合体を含有してもよいし、ラクトン環を含有する重合体と、Ｎ置換マレイミド環含有重合体と、テトラヒドロピラン環含有重合体との混合物（ブレンド物）を含有していてもよい。また、２種類の環を有する重合体を含有する場合においては、その２種の環をともに有する重合体を含有していてもよいし、それぞれの環を有する重合体の混合物を含有していてもよい。
【００１５】
上記３８０〜１２００ｎｍに極大吸収波長を有する色素としては、上記波長範囲の極大吸収波長を有する化合物であればよく、例えば、３８０〜７８０ｎｍに極大吸収波長を有する色素としては、特開２００２−２００７１１号公報記載の式（６）、（７）、（８）で示すシアニン色素；
特開２００３−３６０３３号公報記載の一般式（Ｉ）で示すテトラアザポルフィリン系色素
【００１６】
また、７８０〜１２００ｎｍに極大吸収波長を有する色素としては、特開２００１−１０６６８９号公報の式（１）で示されるフタロシアニン化合物；特開２００２−８２２１９号公報記載の一般式（１）で示す芳香族ジチオール系金属錯体、一般式（２）、（３）で示す芳香族ジインモニウム化合物、一般式（４）〜（９）で示す芳香族ジオール化合物；特開２００１−１３３６２４号公報に記載のジイモニウム系化合物；その他のニトロソ系化合物及びその金属錯塩、シアニン系化合物、チオールニッケル錯塩系化合物、ジチオールニッケル錯塩系化合物、アミノチオールニッケル錯塩系化合物、フタロシアニン系化合物、ナフタロシアニン系化合物、トリアリルメタン系化合物、イモニウム系化合物、ジイモニウム系化合物、ナフトキノン系化合物、アントラキノン系化合物、アミノ化合物、アミニウム塩系化合物、及び、上述したもの以外のスクアリリウム系化合物やメチン系化合物等の有機物質；アンチモンドープ酸化錫、インジウムドープ酸化錫等が好適である。
【００１７】
上記３８０〜１２００ｎｍに極大吸収波長を有する色素の含有量としては、本発明の樹脂組成物の不揮発分に対して、下限値が０．０００５質量％
０．０００５質量％未満であると、塗膜とする場合に特定波長を有する光を充分に吸収できないおそれがある
より好ましくは、０．００１５質量％で
上限値としては、２０質量％
２０質量％を超えると、塗膜とする場合の塗膜強度等の基本性能や、色素の耐久性が充分には向上されないおそれがある
より好ましくは、１５質量％であり、更に好ましくは、１０質量％で
　
　オ　「【００７０】
上記
ラクトン環含有重合体、Ｎ置換マレイミド環含有重合体及びテトラヒドロピラン環含有重合体は、
熱可塑性を有するものである
本発明におけるバインダー樹脂としては、上述したラクトン環含有重合体やＮ置換マレイミド環含有重合体、テトラヒドロピラン環含有重合体以外にも、例えば、（メタ）アクリル系樹脂、（メタ）アクリルウレタン系樹脂、ポリ塩化ビニル系樹脂、ポリ塩化ビニリデン樹脂、メラミン系樹脂、ウレタン系樹脂、スチレン系樹脂、アルキド系樹脂、フェノール系樹脂、エポキシ系樹脂、ポリカーボネート系樹脂、ポリアリレート系樹脂、オレフィン系樹脂、ポリエステル系樹脂や、（メタ）アクリルシリコーン系樹脂、アルキルポリシロキサン系樹脂、シリコーン樹脂、シリコーンアルキド樹脂、シリコーンウレタン樹脂、シリコーンポリエステル樹脂、シリコーンアクリル樹脂等の変性シリコーン樹脂、ポリフッ化ビニリデン、フルオロオレフィンビニルエーテルポリマー等のフッ素系樹脂等を含有していてもよい。このような樹脂としては、熱可塑性樹脂でもよく、熱硬化性樹脂、湿気硬化性樹脂、紫外線硬化性樹脂、電子線硬化性樹脂等の硬化性樹脂でもよいが、熱可塑性樹脂であることが好ましい。またその他にも、エチレン−プロピレン共重合ゴム、ポリブタジエンゴム、スチレン−ブタジエンゴム、アクリロニトリル−ブタジエンゴム等の合成ゴム又は天然ゴム等の有機系バインダー樹脂；シリカゾル、アルカリ珪酸塩、シリコンアルコキシドやそれらの（加水分解）縮合物、リン酸塩等の無機系結着剤等の従来公知のバインダー樹脂等を挙げることができる。これらの中でも、比較的低温で乾燥して塗膜を形成することができ、しかも、色素の耐久性を向上させる点で、（メタ）アクリル系樹脂、（メタ）アクリルウレタン系樹脂、ポリフッ化ビニリデン、フルオロオレフィンビニルエーテルポリマー等のフッ素系樹脂、ポリカーボネート系樹脂、「アートン」（ＪＳＲ社製）のようなポリアリレート系樹脂、「Ｏ−ＰＥＴ」（鐘紡社製）や「ゼオノア」（日本ゼオン社製）のようなオレフィン系樹脂をブレンド、或いはグラフトしてもよい。但し、上述したようにラクトン環、Ｎ置換マレイミド環又はテトラヒドロピラン環含有重合体の含有量が、不揮発分換算で本発明の樹脂組成物を１００質量％とすると、２０質量％以上９９．９９９５質量％以下であることが好ましい。また上述したように該ブレンド物、或いはグラフト化物全体のガラス転移温度が、９０℃以上２００℃以下であることが好ましい。」
　
　カ　「【００７７】
本発明の樹脂組成物は、プラズマディスプレイ等のディスプレイにおける赤外線リモコン誤作動防止や色再現性等の向上等に用いられる前面フィルター等の用途の他、ビルや住宅の窓用、電車や自動車等の車両の窓用、アーケード、温室、太陽電池パネルの保護用フィルター、サングラス、
一般眼鏡、保護眼鏡、コンタクトレンズ等にも用いることができる
　
　キ　「【発明の効果】
【００７８】
本発明の樹脂組成物は、上述の構成よりなり、
色素の耐久性と屈曲性とを両立することができ、樹脂液中での色素の安定性が向上された
　
　ク　上記アないしキから、引用例１には、
「３８０〜１２００ｎｍに極大吸収波長を有する、特開２００３−３６０３３号公報記載の一般式（Ｉ）で示すテトラアザポルフィリン系色素と、
　熱可塑性を有する、ラクトン環、Ｎ置換マレイミド環又はテトラヒドロピラン環含有重合体と
　を含有した樹脂組成物であり、
　色素の耐久性と屈曲性とを両立することができ、樹脂液中での色素の安定性が向上された樹脂組成物を用いて、
　可視光線、近赤外線及びネオン光線のうちの少なくとも１種を吸収するようにした、
　一般眼鏡、保護眼鏡、コンタクトレンズであって、
　前記樹脂組成物の不揮発分に対する前記色素の含有量としては、０．０００５質量％未満であると、塗膜とする場合に特定波長を有する光を充分に吸収できないおそれがあるので、下限値は、０．０００５質量％、より好ましくは０．００１５質量％であり、２０質量％を超えると、塗膜とする場合の塗膜強度等の基本性能や、色素の耐久性が充分には向上されないおそれがあるので、上限値は、２０質量％、より好ましくは、１５質量％、更に好ましくは、１０質量％である、一般眼鏡、保護眼鏡、コンタクトレンズ。」の発明（以下「引用発明」という。）が記載されているものと認められる。
　
（２）原査定の拒絶の理由に引用された「本願の優先日前に頒布された刊行物である特開２００３−３６０３３号公報（以下「引用例２」という。）」には、図とともに次の事項が記載されている。
　ア　「【０００８】
【課題を解決するための手段】本発明者等は、上記課題を解決するために、一般式（III）で表されるジピラゾリルスクアリリウム系色素と一般式（Ｉ）で表されるテトラアザポルフィリン系色素及び一般式（II） で表されるジピラゾリルメチン系色素とを組み合わせることにより、上記課題を解決することができることを見出し、本発明を解決するに至った。すなわち本発明の要旨は、下記一般式(I)で表されるテトラアザポルフィリン系色素、下記一般式(II)で表されるジピラゾリルメチン系色素及び下記一般式(III)で表されるジピラゾリルスクアリリウム系色素を含有することを特徴とするディスプレイ用フィルター。
【０００９】
【化４】
【００１０】〔式(I) 中、Ｒ1 〜Ｒ8は、各々独立に、水素原子、ハロゲン原子、ニトロ基、シアノ基、ヒドロキシ基、アミノ基、置換基を有していても良いアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を示し、また、Ｒ1とＲ2、Ｒ3とＲ4、Ｒ5とＲ6、Ｒ7とＲ8は各々連結して脂肪族炭素環を形成しても良い。Ｍは、２個の水素原子、２価の金属原子、３価１置換金属原子、４価２置換金属原子又はオキシ金属原子を示す。〕」
　
　イ　「【００１９】以上説明した本発明の一般式（Ｉ）のテトラアザポルフィリン系色素の好ましい具体例を以下に示す。
【００２０】
【化７】
【００２１】尚、本発明の前記テトラアザポルフィリン系色素は、例えば、前記一般式(I)における置換基ＭがＭｇ原子である化合物に酢酸を反応させて、Ｍｇ金属原子をはずすことによりＭが２個の水素原子となった化合物を得る方法、又、一般式(I) における置換基ＭがＭｇ原子である化合物に各種の金属塩を反応させて、Ｍが上記に規定したような２価の金属原子、３価１置換金属原子、４価２置換金属原子又はオキシ金属原子となった化合物を得る方法等、J.Gen.Chem.USSR  ,vol.47,1954〜1958(1977) に記載される方法に準じて、或いはその他公知の方法を組み合わせることにより合成することができる。」
　
４　対比
　本願発明と引用発明とを対比する。
（１）引用例２の上記記載を参酌すれば、引用発明の「『熱可塑性を有する、ラクトン環、Ｎ置換マレイミド環又はテトラヒドロピラン環含有重合体』を含有した『樹脂組成物』を用いた『一般眼鏡、保護眼鏡、コンタクトレンズ』」及び「特開２００３−３６０３３号公報記載の一般式（Ｉ）で示すテトラアザポルフィリン系色素」は、それぞれ、本願発明の「熱硬化性樹脂又は熱可塑性樹脂から形成したプラスチックレンズウエハーからなるプラスチック眼鏡レンズ又は前記プラスチックウェハーとこのプラスチックウェハーの少なくとも片面に形成された一層又は複数層の成分層とからなるプラスチック眼鏡レンズ」及び「『クロロホルム又はトルエン溶液で測定された可視光吸収分光スペクトルにおいて、５６５ｎｍ〜６０５ｎｍの間に主吸収ピーク（Ｐ）を有し、前記主吸収ピーク（Ｐ）のピーク頂点（Ｐｍａｘ）の吸光係数が０．５×１０５（ｍｌ／ｇ・ｃｍ）以上であり、前記主吸収ピーク（Ｐ）のピーク頂点（Ｐｍａｘ）の吸光度の１／４の吸光度におけるピーク幅が５０ｎｍ以下であり、かつ前記主吸収ピーク（Ｐ）のピーク頂点（Ｐｍａｘ）の吸光度の１／２の吸光度におけるピーク幅が３０ｎｍ以下であり、かつ前記主吸収ピーク（Ｐ）のピーク頂点（Ｐｍａｘ）の吸光度の２／３の吸光度におけるピーク幅が２０ｎｍ以下の範囲』である『テトラアザポルフィルン化合物の有機系色素』」に相当するといえる。
　
（２）上記（１）から、本願発明と引用発明とは、
「熱硬化性樹脂又は熱可塑性樹脂から形成したプラスチックレンズウエハーからなるプラスチック眼鏡レンズ又は前記プラスチックウェハーとこのプラスチックウェハーの少なくとも片面に形成された一層又は複数層の成分層とからなるプラスチック眼鏡レンズであって、
　前記有機系色素のクロロホルム又はトルエン溶液で測定された可視光吸収分光スペクトルにおいて、５６５ｎｍ〜６０５ｎｍの間に主吸収ピーク（Ｐ）を有し、前記主吸収ピーク（Ｐ）のピーク頂点（Ｐｍａｘ）の吸光係数が０．５×１０５（ｍｌ／ｇ・ｃｍ）以上であり、前記主吸収ピーク（Ｐ）のピーク頂点（Ｐｍａｘ）の吸光度の１／４の吸光度におけるピーク幅が５０ｎｍ以下であり、かつ前記主吸収ピーク（Ｐ）のピーク頂点（Ｐｍａｘ）の吸光度の１／２の吸光度におけるピーク幅が３０ｎｍ以下であり、かつ前記主吸収ピーク（Ｐ）のピーク頂点（Ｐｍａｘ）の吸光度の２／３の吸光度におけるピーク幅が２０ｎｍ以下の範囲とし、プラスチック眼鏡レンズ。」である点で一致し、次の点で相違する。
　
相違点：
　本願発明では、前記プラスチックウェハー及び前記成分層のうちの少なくとも一つがテトラアザポルフィルン化合物の有機系色素を、０．０００４重量％〜０．０１重量％含むのに対して、
　引用発明では、前記プラスチックウェハー及び前記成分層のうちの少なくとも一つのテトラアザポルフィルン化合物の有機系色素含有量の下限値は、０．０００５質量％、より好ましくは０．００１５質量％であり、その上限値は２０質量％、より好ましくは１５質量％、更に好ましくは１０質量％であり、本願発明の範囲のうち０．０００５重量％〜０．０１重量％の範囲を含むが上限が０．０１重量％より大きい点。
　
５　判断
　上記相違点について検討する。
（１）本願明細書の発明の詳細な説明には「前記成分層中に含有される本発明の有機系色素の濃度は０．０２重量％〜５重量％、好ましくは０．０５重量％〜３重量％、の範囲が適当である。」（【００８０】）とも記載されており、本願発明における、前記プラスチックウェハー及び前記成分層のうちの少なくとも一つのテトラアザポルフィルン化合物の有機系色素含有量は、設定するその色素による光の吸収量と、その色素を含ませる対象個所の厚みとの兼ね合いで、当業者が適宜決定すべき設計上の事項であるというべきものであり、本願発明の上限値０．０１重量％に絶対的な技術上の意義はない。
　
（２）引用発明においても、色素は特定波長を有する光を充分に吸収するためのものであるから、前記プラスチックウェハー及び前記成分層のうちの少なくとも一つのテトラアザポルフィルン化合物の有機系色素含有量は、０．０００５質量％〜２０質量％の範囲内で当業者が適宜決定すべきものである。
　
（３）してみると、引用発明において、上記相違点に係る本願発明の構成となすことは、当業者が適宜なし得た程度のことである。
　
（４）本願発明の奏する効果は、引用発明の奏する効果及び引用例２の記載事項から当業者が予測することができた程度のことである。
　
（５）したがって、本願発明は、当業者が引用例１に記載された発明及び引用例２に記載の事項に基づいて容易に発明をすることができたものである。
　
６　むすび
　本願発明は、以上のとおり、当業者が引用例１に記載された発明及び引用例２に記載の事項に基づいて容易に発明をすることができたものであるから、特許法第２９条第２項の規定により特許を受けることができない。
　よって、結論のとおり審決する。